(57)【特許請求の範囲】
【請求項１】
内部が血液流路（１３）と他の流路（１４）に区画されるとともに、前記血液流路（１３）の一端に通じる第１流入部（１５）、前記血液流路（１３）の他端に通じる第１流出部（１６）、前記他の流路（１４）に通じる第２流出部（１８）を少なくとも有する血液浄化器（１０）と、
前記第１流入部（１５）に接続される動脈側回路（２０）と、
前記第１流出部（１６）に接続される静脈側回路（３０）と、
前記第２流出部（１８）に接続され、前記第２流出部（１８）からの廃液が通液する廃液回路（５０）と、
前記静脈側回路（３０）に接続され、第１の液体が通液する第１回路（６０）と、
前記動脈側回路（２０）、前記静脈側回路（３０）又は前記第１回路（６０）に接続され、第２の液体が通液する第２回路（７０）とを少なくとも備える血液浄化システムに用いられる血液浄化装置であって、
複数のポンプ及び当該複数のポンプの駆動を制御する制御部（９０）を有し、
前記複数のポンプとして、
前記動脈側回路（２０）上の血液を前記血液浄化器（１０）に向けて送るための血液ポンプ（８１）と、
前記廃液回路（５０）上の前記廃液を送り出すための廃液ポンプ（８３）と、
前記第１回路（６０）上の前記第１の液体を前記静脈側回路（３０）に向けて送るための第１ポンプ（８４）と、
前記第２回路（７０）上の前記第２の液体を前記静脈側回路（３０）又は前記第１回路（６０）に向けて送るための第２ポンプ（８５）とを少なくとも有し、
前記制御部（９０）は、前記第１ポンプ（８４）が駆動しているか否かに応じて、前記第２ポンプ（８５）の駆動の可否を決定するポンプ駆動判断部（Ｆ５）を有し、
前記制御部（９０）はさらに、前記第１ポンプ（８４）及び前記第２ポンプ（８５）のうち駆動状態にある少なくとも一方のポンプの流量と前記血液ポンプ（８１）の流量とを連動して制御する、血液浄化装置（８０）。
【請求項２】
請求項１に記載の血液浄化装置において、
前記ポンプ駆動判断部は、
前記第１ポンプ（８４）が駆動状態である場合には前記第２ポンプ（８５）を停止状態にし、前記第１ポンプ（８４）が停止状態である場合には前記第２ポンプ（８５）を駆動状態にする、血液浄化装置（８０）。
【請求項３】
請求項１に記載の血液浄化装置において、
前記ポンプ駆動判断部は、
前記第１ポンプが駆動状態である場合には前記第２ポンプを駆動状態にし、前記第１ポンプが停止状態である場合には前記第２ポンプを停止状態にし、
前記制御部はさらに、前記第１ポンプ及び前記第２ポンプがともに駆動状態である場合には、前記第１ポンプと前記第２ポンプの流量を連動して制御する、血液浄化装置。
【請求項４】
請求項１〜３のいずれか一項に記載の血液浄化装置において、
前記制御部（９０）はさらに、前記第１ポンプ（８４）及び前記第２ポンプ（８５）のうち駆動状態にある少なくとも一方のポンプの流量と前記廃液ポンプ（８３）の流量とを連動して制御する、血液浄化装置（８０）。
【請求項５】
請求項１〜４のいずれか一項に記載の血液浄化装置において、
各ポンプの流量を設定入力するための設定入力部（８７）をさらに有し、
前記制御部（９０）はさらに、前記設定入力部（８７）に入力された設定値に基づいて、各ポンプの流量を調整する、血液浄化装置（８０）。
【請求項６】
内部が血液流路（１３）と他の流路（１４）に区画されるとともに、前記血液流路（１３）の一端に通じる第１流入部（１５）、前記血液流路（１３）の他端に通じる第１流出部（１６）、前記他の流路（１４）の一端に通じる第２流入部（１７）及び前記他の流路（１４）の他端に通じる第２流出部（１８）を有する血液浄化器（１０）と、
前記第１流入部（１５）に接続される動脈側回路（２０）と、
前記第１流出部（１６）に接続される静脈側回路（３０）と、
前記第２流入部（１７）に接続される透析液回路（４０）と、
前記第２流出部（１８）に接続され、前記第２流出部（１８）からの廃液が通液する廃液回路（５０）と、
前記静脈側回路（３０）に接続され、第１の液体が通液する第１回路（６０）と、
前記動脈側回路（２０）、前記静脈側回路（３０）又は前記第１回路（６０）に接続され、第２の液体が通液する第２回路（７０）と、
請求項１〜５のいずれか一項に記載の血液浄化装置（８０）とを備え、
前記血液浄化装置（８０）が、前記透析液回路（４０）上の透析液を前記血液浄化器（１０）に向けて送るための透析液ポンプ（８２）をさらに有する、血液浄化システム（１）。
【請求項７】
内部が血液流路（２１３）と他の流路（２１４）に区画されるとともに、前記血液流路（２１３）の一端に通じる第１流入部（２１５）、前記血液流路（２１３）の他端に通じる第１流出部（２１６）、前記他の流路（２１４）の一端に通じる第２流出部（２１８）を有する血液浄化器（２１０）と、
前記第１流入部（２１５）に接続される動脈側回路（２０）と、
前記第１流出部（２１６）に接続される静脈側回路（３０）と、
前記第２流出部（２１８）に接続され、前記第２流出部（１８）からの廃液が通液する廃液回路（５０）と、
前記静脈側回路（３０）に接続され、第１の液体が通液する第１回路（２６０）と、
前記動脈側回路（２０）、前記静脈側回路（３０）又は前記第１回路（２６０）に接続され、第２の液体が通液する第２回路（２７０）と、
請求項１〜５のいずれか一項に記載の血液浄化装置（２８０）とを備える、血液浄化システム（２）。
【請求項８】
内部が血液流路（１３）と他の流路（１４）に区画されるとともに、前記血液流路（１３）の一端に通じる第１流入部（１５）、前記血液流路（１３）の他端に通じる第１流出部（１６）、前記他の流路（１４）の一端に通じる第２流入部（１７）及び前記他の流路（１４）の他端に通じる第２流出部（１８）を有する血液浄化器（１０）と、
前記第１流入部（１５）に接続される動脈側回路（２０）と、
前記第１流出部（１６）に接続される静脈側回路（３０）と、
前記第２流入部（１７）に接続される第１透析液回路（３６０）と、
前記第２流出部（１８）に接続され、前記第２流出部（１８）からの廃液が通液する廃液回路（５０）と、
前記第１透析液回路（３６０）に接続される第２透析液回路（３７０）と、
請求項１〜５のいずれか一項に記載の血液浄化装置（３８０）とを備え、
前記第１透析液回路（３６０）には、前記第１の液体としての第１の透析液が通液するように構成されており、
前記第２透析液回路（３７０）には、前記第２の液体としての第２の透析液が通液するように構成されており、
前記第１ポンプ（８４）が、前記第１透析液回路（３６０）上の前記第１の透析液を前記血液浄化器（１０）に向けて送るためのポンプであり、
前記第２ポンプ（８５）が、前記第２透析液回路（３７０）上の前記第２の透析液を前記第１透析液回路（３６０）に向けて送るためのポンプである、血液浄化システム（３）。
【発明の詳細な説明】
【技術分野】
【０００１】
本発明は、血液浄化装置及び血液浄化システムに関する。
【背景技術】
【０００２】
従来から、例えば急性腎不全等の患者の血液を浄化するための血液浄化療法として、持続的血液濾過透析（Continuous Hemodiafiltration：CHDF）などの治療法が行われており、そのような血液浄化療法に用いる血液浄化装置が数多く開発されている（例えば、特許文献１及び２参照。）。例えばCHDF対応の従来の血液浄化装置には、４つのポンプ（血液ポンプ、透析液ポンプ、濾液ポンプ及び補充液ポンプ）が配設されている。
【先行技術文献】
【特許文献】
【０００３】
【特許文献１】特開２００１−５４１号公報
【特許文献２】特開２００３−１２６２４７号公報
【発明の概要】
【発明が解決しようとする課題】
【０００４】
ところで、そのような持続的血液浄化療法を行う現場においては、治療の途中で例えば補充液又は置換液を別の種類や異なる濃度のものに切り替えたい場合がある。
【０００５】
しかしながら、従来の血液浄化装置においては、補充液を送るためのポンプが１つしか配設されていないため、そのような補充液又は置換液の切替えを行うには、装置を一旦停止した上で補充液又は置換液を入れた貯留バッグをその都度回路から取り外して新たなものに付け替えなければならず、作業が非常に煩わしい。
【０００６】
なお、補充液又は置換液の切替えに限らず、例えば透析液を治療の途中で別の種類や異なる濃度のものに切り替えたい場合であっても、上記した補充液又は置換液の場合と同様、従来の血液浄化装置では容易に対応できるとは言い難い。すなわち、従来の血液浄化装置は、使用する溶液の切替えを行うには不向きなものであった。
【０００７】
このような使用する溶液の切替え作業の煩雑性の問題は、CHDF対応の血液浄化装置に限ったものではなく、例えば、単純血漿交換（Plasma Exchange：PE）対応の血液浄化装置など、持続的血液浄化療法以外の血液浄化療法に用いる血液浄化装置においても同様に生じ得るものである。
【０００８】
そこで、本発明は、上記の事情に鑑みてなされたもので、治療の途中で使用する溶液を切り替えたい場合であっても、比較的容易に対応可能な血液浄化装置及び血液浄化システムを提供することを目的とする。
【課題を解決するための手段】
【０００９】
本発明の血液浄化装置（８０）は、内部が血液流路（１３）と他の流路（１４）に区画されるとともに、前記血液流路（１３）の一端に通じる第１流入部（１５）、前記血液流路（１３）の他端に通じる第１流出部（１６）、前記他の流路（１４）に通じる第２流出部（１８）を少なくとも有する血液浄化器（１０）と、前記第１流入部（１５）に接続される動脈側回路（２０）と、前記第１流出部（１６）に接続される静脈側回路（３０）と、前記第２流出部（１８）に接続され、前記第２流出部（１８）からの廃液が通液する廃液回路（５０）と、前記静脈側回路（３０）に接続され、第１の液体が通液する第１回路（６０）と、前記動脈側回路（２０）、前記静脈側回路（３０）又は前記第１回路（６０）に接続され、第２の液体が通液する第２回路（７０）とを少なくとも備える血液浄化システムに用いられる血液浄化装置であって、複数のポンプ及び当該複数のポンプの駆動を制御する制御部（９０）を有し、前記複数のポンプとして、前記動脈側回路（２０）上の血液を前記血液浄化器（１０）に向けて送るための血液ポンプ（８１）と、前記廃液回路（５０）上の前記廃液を送り出すための廃液ポンプ（８３）と、前記第１回路（６０）上の前記第１の液体を前記静脈側回路（３０）に向けて送るための第１ポンプ（８４）と、前記第２回路（７０）上の前記第２の液体を前記静脈側回路（３０）又は前記第１回路（６０）に向けて送るための第２ポンプ（８５）とを少なくとも有し、前記制御部（９０）は、前記第１ポンプ（８４）が駆動しているか否かに応じて、前記第２ポンプ（８５）の駆動の可否を決定するポンプ駆動判断部（Ｆ５）を有することを特徴とする。
【００１０】
このため、本発明の血液浄化装置によれば、上記した第１ポンプ及び第２ポンプが装置に組み込まれており、制御部が上記したポンプ駆動判断部を有しているため、例えば第１の液体とは別の種類（又は異なる濃度）のものを第２の液体として準備し、それぞれ第１回路及び第２回路に接続した上で第１ポンプ及び第２ポンプにセットしておきさえすれば、治療の途中で使用する溶液を切り替えたいときに、非常にスムーズな切替えを行うことができる。
【００１１】
したがって、本発明の血液浄化装置は、治療の途中で使用する溶液を切り替えたい場合であっても、比較的容易に対応可能な血液浄化装置となる。
【００１２】
なお、この明細書において「第１の液体」及び「第２の液体」とは、患者の血液とは異なる液体のことをいう。
【００１３】
本発明の血液浄化装置（８０）においては、前記ポンプ駆動判断部は、前記第１ポンプ（８４）が駆動状態である場合には前記第２ポンプ（８５）を停止状態にし、前記第１ポンプ（８４）が停止状態である場合には前記第２ポンプ（８５）を駆動状態にすることが好ましい。
【００１４】
このように構成することにより、第１ポンプによって第１の液体が送られているときには第２ポンプによる第２の液体の送液は停止され、第２ポンプによって第２の液体が送られているときには第１ポンプによる第１の液体の送液は停止されるようになる。
【００１５】
本発明の血液浄化装置においては、前記ポンプ駆動判断部は、前記第１ポンプが駆動状態である場合には前記第２ポンプを駆動状態にし、前記第１ポンプが停止状態である場合には前記第２ポンプを停止状態にし、前記制御部はさらに、前記第１ポンプ及び前記第２ポンプがともに駆動状態である場合には、前記第１ポンプと前記第２ポンプの流量を連動して制御することが好ましい。
【００１６】
このように構成することにより、第１の液体を送液しているときに第２の液体も送液することができるため、例えばあるタイミングにおいて２種類の溶液を送りたいという要望があったとしても、本発明の血液浄化装置であれば比較的容易に対応可能である。
【００１７】
本発明の血液浄化装置（８０）においては、前記制御部（９０）はさらに、前記第１ポンプ（８４）及び前記第２ポンプ（８５）のうち駆動状態にある少なくとも一方のポンプの流量と前記廃液ポンプ（８３）の流量とを連動して制御することが好ましい。
【００１８】
このように構成することにより、廃液ポンプの流量変動に応じて、第１ポンプ及び第２ポンプの流量調整を自動的に行うことが可能となる。
【００１９】
本発明の血液浄化装置（８０）においては、前記制御部（９０）はさらに、前記第１ポンプ（８４）及び前記第２ポンプ（８５）のうち駆動状態にある少なくとも一方のポンプの流量と前記血液ポンプ（８１）の流量とを連動して制御することが好ましい。
【００２０】
このように構成することにより、血液ポンプの流量変動に応じて、第１ポンプ及び第２ポンプの流量調整を自動的に行うことが可能となる。
【００２１】
本発明の血液浄化装置（８０）においては、各ポンプの流量を設定入力するための設定入力部（８７）をさらに有し、前記制御部（９０）はさらに、前記設定入力部（８７）に入力された設定値に基づいて、各ポンプの流量を調整することが好ましい。
【００２２】
このように構成することにより、例えば第１ポンプの流量は一定のままで第２ポンプの流量を変更することができたり（すなわち第１ポンプと第２ポンプの流量比の変更）、すべてのポンプの流量比を揃えた状態で血液浄化器に流す血液量を変更することができたりするなど、使用者の意図に幅広く応じることが可能な優れた血液浄化装置となる。
【００２３】
本発明の血液浄化システム（１）は、内部が血液流路（１３）と他の流路（１４）に区画されるとともに、前記血液流路（１３）の一端に通じる第１流入部（１５）、前記血液流路（１３）の他端に通じる第１流出部（１６）、前記他の流路（１４）の一端に通じる第２流入部（１７）及び前記他の流路（１４）の他端に通じる第２流出部（１８）を有する血液浄化器（１０）と、前記第１流入部（１５）に接続される動脈側回路（２０）と、前記第１流出部（１６）に接続される静脈側回路（３０）と、前記第２流入部（１７）に接続される透析液回路（４０）と、前記第２流出部（１８）に接続され、前記第２流出部（１８）からの廃液が通液する廃液回路（５０）と、前記静脈側回路（３０）に接続され、第１の液体が通液する第１回路（６０）と、前記動脈側回路（２０）、前記静脈側回路（３０）又は前記第１回路（６０）に接続され、第２の液体が通液する第２回路（７０）と、本発明の血液浄化装置（８０）とを備え、前記血液浄化装置（８０）が、前記透析液回路（４０）上の透析液を前記血液浄化器（１０）に向けて送るための透析液ポンプ（８２）をさらに有することを特徴とする。
【００２４】
このため、本発明の血液浄化システムによれば、上述の優れた血液浄化装置を備えているため、CHDF、CHD（Continuous Hemodialysis，持続的血液透析）、CHF（Continuous Hemofiltration，持続的血液濾過）等を実施する場合において、補充液又は置換液の切替えを比較的容易に行うことが可能な優れた血液浄化システムとなる。
【００２５】
本発明の血液浄化システム（２）は、内部が血液流路（２１３）と他の流路（２１４）に区画されるとともに、前記血液流路（２１３）の一端に通じる第１流入部（２１５）、前記血液流路（２１３）の他端に通じる第１流出部（２１６）、前記他の流路（２１４）の一端に通じる第２流出部（２１８）を有する血液浄化器（２１０）と、前記第１流入部（２１５）に接続される動脈側回路（２０）と、前記第１流出部（２１６）に接続される静脈側回路（３０）と、前記第２流出部（２１８）に接続され、前記第２流出部（２１８）からの廃液が通液する廃液回路（５０）と、前記静脈側回路（３０）に接続され、第１の液体が通液する第１回路（２６０）と、前記動脈側回路（２０）、前記静脈側回路（３０）又は前記第１回路（２６０）に接続され、第２の液体が通液する第２回路（２７０）と、本発明の血液浄化装置（２８０）とを備えることを特徴とする。
【００２６】
このため、本発明の血液浄化システムによれば、上述の優れた血液浄化装置を備えているため、異なる２つの補充液又は置換液を必要に応じて切り替えるなどする施行方法を比較的容易に行うことが可能な、優れた血液浄化システムとなる。
【００２７】
本発明の血液浄化システム（３）は、内部が血液流路（１３）と他の流路（１４）に区画されるとともに、前記血液流路（１３）の一端に通じる第１流入部（１５）、前記血液流路（１３）の他端に通じる第１流出部（１６）、前記他の流路（１４）の一端に通じる第２流入部（１７）及び前記他の流路（１４）の他端に通じる第２流出部（１８）を有する血液浄化器（１０）と、前記第１流入部（１５）に接続される動脈側回路（２０）と、前記第１流出部（１６）に接続される静脈側回路（３０）と、前記第２流入部（１７）に接続される第１透析液回路（３６０）と、前記第２流出部（１８）に接続され、前記第２流出部（１８）からの廃液が通液する廃液回路（５０）と、前記第１透析液回路（３６０）に接続される第２透析液回路（３７０）と、本発明の血液浄化装置（３８０）とを備え、前記第１透析液回路（３６０）には、前記第１の液体としての第１の透析液が通液するように構成されており、前記第２透析液回路（３７０）には、前記第２の液体としての第２の透析液が通液するように構成されており、前記第１ポンプ（８４）が、前記第１透析液回路（３６０）上の前記第１の透析液を前記血液浄化器（１０）に向けて送るためのポンプであり、前記第２ポンプ（８５）が、前記第２透析液回路（３７０）上の前記第２の透析液を前記第１透析液回路（３６０）に向けて送るためのポンプであることを特徴とする。
【００２８】
このため、本発明の血液浄化システムによれば、上述の優れた血液浄化装置を備えているため、CHDF、CHD等を実施する場合において、透析液の切替えを比較的容易に行うことが可能な優れた血液浄化システムとなる。
【００２９】
なお、特許請求の範囲及び本欄（課題を解決するための手段の欄）に記載した各部材等の文言下に括弧をもって付加された符号は、特許請求の範囲及び本欄に記載された内容の理解を容易にするために用いられたものであって、特許請求の範囲及び本欄に記載された内容を限定するものではない。
【図面の簡単な説明】
【００３０】
【図１】第１実施形態に係る血液浄化システム１の構成を示す図。
【図２】血液浄化器１０を説明するために示す図。
【図３】第１実施形態に係る血液浄化装置８０の電気的構成を示すブロック図。
【図４】制御部９０のポンプ駆動制御部Ｆ５を説明するために示す図。
【図５】第２実施形態に係る血液浄化システム２の構成を示す図。
【図６】血液浄化器２１０を説明するために示す図。
【図７】第２実施形態に係る血液浄化装置２８０の電気的構成を示すブロック図。
【図８】第３実施形態に係る血液浄化システム３の構成を示す図。
【図９】第３実施形態に係る血液浄化装置３８０の電気的構成を示すブロック図。
【発明を実施するための形態】
【００３１】
以下、本発明の血液浄化装置及び血液浄化システムについて、図に示す実施の形態に基づいて説明する。
【００３２】
［第１実施形態］
まず、血液浄化を行うための血液浄化システム１の構成について、図１〜図３を用いて説明する。
【００３３】
図１は、第１実施形態に係る血液浄化システム１の構成を示す図である。
図２は、血液浄化器１０を説明するために示す図である。図２（ａ）は血液浄化器１０の構成を説明するために示す図であり、図２（ｂ）は血液浄化器１０の内部構造を示す概念図である。なお、図２（ｂ）においては、発明の理解を容易にするため、本来は血液浄化器１０内に複数配置されている選択性分離膜１２のうち、１つの選択性分離膜１２のみを模式的に図示している。
図３は、第１実施形態に係る血液浄化装置８０の電気的構成を示すブロック図である。
【００３４】
第１実施形態に係る血液浄化システム１は、図１に示すように、血液浄化器１０と、血液浄化器１０の第１流入部１５に接続される動脈側回路２０と、血液浄化器１０の第１流出部１６に接続される静脈側回路３０と、血液浄化器１０の第２流入部１７に接続される透析液回路４０と、透析液を貯留可能な透析液貯留容器４２と、血液浄化器１０の第２流出部１８に接続され、第２流出部１８からの廃液が通液する廃液回路５０と、静脈側回路３０に接続され、第１の液体が通液する第１回路６０と、第１の液体を貯留可能な第１貯留容器６２と、静脈側回路３０に接続され、第２の液体が通液する第２回路７０と、第２の液体を貯留可能な第２貯留容器７２と、血液浄化装置８０とを備える。
【００３５】
血液浄化器１０は、図２に示すように、筒状のハウジング部１１と、ハウジング部１１の内部に配置された選択性分離膜１２と、ハウジング部１１の一方端部に設けられた第１流入部１５と、ハウジング部１１の他方端部に設けられた第１流出部１６と、ハウジング部１１の側面のうち第１流出部１６寄りの位置に設けられた第２流入部１７と、ハウジング部１１の側面のうち第１流入部１５寄りの位置に設けられた第２流出部１８とを有する。
【００３６】
選択性分離膜１２は、例えば中空糸膜からなる。図示による説明は省略するが、ハウジング部１１の内部には、ハウジング部１１の長手方向に沿って複数の選択性分離膜１２が延在配置されている。
【００３７】
血液浄化器１０の内部は、図２（ｂ）に示すように、選択性分離膜１２によって血液流路１３と他の流路１４に区画されている。すなわち、選択性分離膜１２の内側が血液流路１３となり、選択性分離膜１２の外側が他の流路１４となる。第１流入部１５及び第１流出部１６は血液流路１３に通じており、第２流入部１７及び第２流出部１８は他の流路１４に通じている。血液浄化器１０は、血液浄化時において血液流路１３の流れる向き（図２（ｂ）の黒矢印方向）と他の流路１４の流れる向き（図２（ｂ）の白抜き矢印方向）とが逆方向となるように（すなわち対向流となるように）構成されている。
【００３８】
動脈側回路２０の途中には、図１に示すように、エアトラップ２２と、ローリングチューブ部２４とが設けられている。なお、図１には記載していないが、動脈側回路２０の途中には、抗凝固剤を回路内に導入するための抗凝固剤注入ラインが接続されるとともに、動脈側回路２０内の圧力を検知するための圧力検知器が設けられている。
【００３９】
静脈側回路３０の途中には、エアトラップ３２が設けられている。なお、図１には記載していないが、静脈側回路３０の途中には気泡検知器が設けられており、エアトラップ３２には静脈圧センサが接続されている。
【００４０】
透析液回路４０及び廃液回路５０の途中には、ローリングチューブ部４４，５４がそれぞれ設けられている。なお、図１には記載していないが、廃液回路５０の途中には、廃液回路５０内の圧力を検知するための圧力検知器が設けられている。
【００４１】
第１回路６０及び第２回路７０の途中には、ローリングチューブ部６４，７４がそれぞれ設けられている。第１回路６０の端部は、静脈側回路３０のうち血液浄化器１０との接続部分からエアトラップ３２までの位置に接続されている。第２回路７０の端部は、静脈側回路３０のエアトラップ３２に接続されている。
【００４２】
透析液貯留容器４２、第１貯留容器６２及び第２貯留容器７２はそれぞれ、透析液回路４０、第１回路６０及び第２回路７０の端部に着脱自在で交換可能に取り付けられている。透析液貯留容器４２、第１貯留容器６２及び第２貯留容器７２は、例えばプラスチック製の貯留バッグである。透析液貯留容器４２に貯留する透析液、第１貯留容器６２に貯留する第１の液体としては、例えばサブラッドＢＳ（「サブラッド」は扶桑薬品工業株式会社の登録商標）などを好適に用いることができる。第２貯留容器７２に貯留する第２の液体としては、例えばビカーボン輸液（「ビカーボン」は味の素株式会社の登録商標）などを好適に用いることができる。なお、透析液、第１の液体及び第２の液体としては、ここで例示したもの以外を用いてもよいことは言うまでもない。
【００４３】
血液浄化装置８０は、図１及び図３に示すように、動脈側回路２０上の血液を血液浄化器１０に向けて送るための血液ポンプ８１と、透析液回路４０上の透析液を血液浄化器１０に向けて送るための透析液ポンプ８２と、廃液回路５０上の廃液を送り出すための廃液ポンプ８３と、第１回路６０上の第１の液体を静脈側回路３０に向けて送るための第１ポンプ８４と、第２回路７０上の第２の液体を静脈側回路３０に向けて送るための第２ポンプ８５と、血液浄化装置８０内の各部に電力を供給するための電源部８６と、血液浄化装置８０の筐体外面に配置され、操作者からの入力を受け付ける設定入力部８７と、血液浄化装置８０の筐体外面に配置され、回路内を流れる血液等の温度情報や静脈圧センサによって測定された静脈圧情報等の各種情報を表示する表示部８８と、使用される血液浄化器の性能データ等を記憶する記憶部８９と、血液浄化装置８０内の各部を統括制御する制御部９０とを備える。
なお、図１において、制御部９０から各ポンプ８１〜８５に延びる線は信号線を表す。
【００４４】
血液ポンプ８１、透析液ポンプ８２、廃液ポンプ８３、第１ポンプ８４及び第２ポンプ８５は、いわゆるローラーポンプである。図示による説明は省略するが、血液ポンプ８１のローラ部が動脈側回路２０のローリングチューブ部２４と接触した状態で回転する（ローリングチューブ部２４を扱く）ことにより、動脈側回路２０内の液体（血液）を所定の方向に送液することができる。他のポンプ８２〜８５の機能についても、血液ポンプ８１の場合と同様である。
【００４５】
設定入力部８７は、図示による説明は省略するが、各ポンプの流量、ポンプ同士の流量連動比率その他の設定値を入力できるように構成されている。なお、設定入力部８７及び表示部８８は、別体として構成されていてもよいし、例えば入力部分と表示部分とが一体化されたタッチパネル式ディスプレイであってもよい。
【００４６】
制御部９０は、図３に示すように、５つのポンプ８１〜８５の駆動を制御するポンプ駆動制御部Ｆ１と、設定入力部８７に入力された設定値に基づいて、各ポンプの流量を調整するポンプ流量調整部Ｆ２と、第１ポンプ８４又は第２ポンプ８５の流量と血液ポンプ８１の流量とを連動して制御する第１連動制御部Ｆ３と、第１ポンプ８４又は第２ポンプ８５の流量と廃液ポンプ８３の流量とを連動して制御する第２連動制御部Ｆ４と、第１ポンプ８４が駆動しているか否かに応じて、第２ポンプ８５の駆動の可否を決定するポンプ駆動判断部Ｆ５とを少なくとも備える。
【００４７】
ポンプ駆動制御部Ｆ１は、記憶部８９に記憶された５つのポンプ８１〜８５の流量情報を読み出し、当該情報に基づいて各ポンプ８１〜８５の駆動を制御する。つまり、あらかじめ記憶部８９に記憶された各ポンプ８１〜８５の設定流量に基づき、各ポンプ８１〜８５の回転駆動を制御する。
【００４８】
設定入力部８７は、入力された設定値に関する設定値情報を生成する。ポンプ流量調整部Ｆ２は、設定入力部８７で生成された設定値情報を受け取り、当該設定値情報に基づいて各ポンプ８１〜８５の流量を調整する。
【００４９】
第１連動制御部Ｆ３は、血液ポンプ８１の流量の調整に合わせて、第１ポンプ８４及び第２ポンプ８５のうちの少なくとも一方のポンプの流量を連動して制御する。
例えば、チューブのキンク等によって陰圧が発生し、動脈側回路２０に設けられた圧力検知器によって動脈側回路２０の圧力変動が検知されると、当該検知情報がポンプ駆動制御部Ｆ１に送られる。ポンプ駆動制御部Ｆ１は、記憶部８９に記憶された流量情報を読み出し、当該情報に基づいて、血液ポンプ８１がより安全な流量で回転するように血液ポンプ８１の駆動を制御する。血液ポンプ８１の流量を調整したことによって、脱血される血液量と補充／置換される液量とのバランスが崩れるのを避けるために、第１連動制御部Ｆ３が第１ポンプ８４又は第２ポンプ８５の流量を連動して制御する。
また、ポンプ流量調整部Ｆ２により血液ポンプ８１の流量を調整した際も、第１連動制御部Ｆ３は第１ポンプ８４又は第２ポンプ８５の流量を連動して制御することができる。すなわち、設定入力部８７によって血液ポンプ８１の流量を設定するだけで、第１ポンプ８４又は第２ポンプ８５の流量も変更される。ポンプ流量調整部Ｆ２により血液ポンプ８１の流量を調整するケースとしては、例えば、患者の状態を見て脱血量を変えたいときなどが挙げられる。
【００５０】
第２連動制御部Ｆ４は、廃液ポンプ８３の流量の調整に合わせて、第１ポンプ８４又は第２ポンプ８５の流量を連動して制御する。
例えば、血液浄化器の目詰まりが発生し、廃液回路５０に設けられた圧力検知器によって廃液回路５０の圧力変動が検知されると、当該検知情報がポンプ駆動制御部Ｆ１に送られる。ポンプ駆動制御部Ｆ１は、記憶部８９に記憶された流量情報を読み出し、当該情報に基づいて、廃液ポンプ８３が適した流量で回転するように廃液ポンプ８３の駆動を制御する。廃液ポンプ８３の流量を調整したことによって、廃液量と補充／置換される液量とのバランスが崩れるのを避けるために、第２連動制御部Ｆ４が第１ポンプ８４又は第２ポンプ８５の流量を連動して制御する。
また、ポンプ流量調整部Ｆ２により廃液ポンプ８３の流量を調整した際も、第２連動制御部Ｆ４は第１ポンプ８４又は第２ポンプ８５の流量を連動して制御することができる。すなわち、設定入力部８７によって廃液ポンプ８３の流量を設定するだけで、第１ポンプ８４又は第２ポンプ８５の流量も変更される。ポンプ流量調整部Ｆ２により廃液ポンプ８３の流量を調整するケースとしては、例えば、患者の血圧低下等、コンディションの変化によって除水量を変えたいときなどが挙げられる。
【００５１】
ポンプ駆動判断部Ｆ５は、第１ポンプ８４が駆動しているか否かに応じて、第２ポンプ８５の駆動の可否を決定する。具体的にいえば、ポンプ駆動判断部Ｆ５は、第１ポンプ８４が駆動状態である場合には第２ポンプ８５を停止状態にし、第１ポンプ８４が停止状態である場合には第２ポンプ８５を駆動状態にする。
【００５２】
図４は、制御部９０のポンプ駆動制御部Ｆ５を説明するために示す図である。図４（ａ）においては第１ポンプ８４が駆動状態にある場合の各回路の流れを矢印で示しており、図４（ｂ）においては第１ポンプ８４が停止状態にある場合の各回路の流れを矢印で示している。
【００５３】
例えば、図４（ａ）に示すように、第１ポンプ８４が駆動状態である場合、ポンプ駆動判断部Ｆ５は、第２ポンプ８５を停止状態にする。第２ポンプ８５が停止状態となると、静脈側回路３０には、第１貯留容器６２に貯留された第１の液体が通液することとなる。
【００５４】
一方、図４（ｂ）に示すように、第１ポンプ８４が停止状態である場合、ポンプ駆動判断部Ｆ５は、第２ポンプ８５を駆動状態にする。第２ポンプ８５が駆動状態となると、静脈側回路３０には、第２貯留容器７２に貯留された第２の液体が通液することとなる。
【００５５】
以上のように構成された第１実施形態に係る血液浄化装置８０によれば、上記した第１ポンプ８４及び第２ポンプ８５が装置に組み込まれており、制御部９０が上記したポンプ駆動判断部Ｆ５を有しているため、第１の液体とは別の種類のものを第２の液体として準備し、それぞれ第１回路６０及び第２回路７０に接続した上で第１ポンプ８４及び第２ポンプ８５にセットしておきさえすれば、治療の途中で使用する溶液を切り替えたいときに、非常にスムーズな切替えを行うことができる。
【００５６】
したがって、第１実施形態に係る血液浄化装置８０は、治療の途中で使用する溶液を切り替えたい場合であっても、比較的容易に対応可能な血液浄化装置となる。
【００５７】
第１実施形態に係る血液浄化装置８０においては、ポンプ駆動判断部Ｆ５は、第１ポンプ８４が駆動状態である場合には第２ポンプ８５を停止状態にし、第１ポンプ８４が停止状態である場合には第２ポンプ８５を駆動状態にする。これにより、第１ポンプ８４によって第１の液体が送られているときには第２ポンプ８５による第２の液体の送液は停止され、第２ポンプ８５によって第２の液体が送られているときには第１ポンプ８４による第１の液体の送液は停止されるようになる。
【００５８】
第１実施形態に係る血液浄化装置８０においては、制御部９０は、上記した第１及び第２連動制御部Ｆ３，Ｆ４をさらに有するため、血液ポンプ８１又は廃液ポンプ８３の流量変動に応じて、第１ポンプ８４及び第２ポンプ８５の流量調整を自動的に行うことが可能となる。
【００５９】
第１実施形態に係る血液浄化システム１によれば、上述の優れた血液浄化装置８０を備えているため、CHDF、CHD、CHF等を実施する場合において、補充液又は置換液の切替えを比較的容易に行うことが可能な優れた血液浄化システムとなる。
【００６０】
［第２実施形態］
図５は、第２実施形態に係る血液浄化システム２の構成を示す図である。
図６は、血液浄化器２１０を説明するために示す図である。図６（ａ）は血液浄化器２１０の構成を説明するために示す図であり、図６（ｂ）は血液浄化器２１０の内部構造を示す概念図である。なお、図６（ｂ）においては、発明の理解を容易にするため、本来は血液浄化器２１０内に複数配置されている選択性分離膜２１２のうち、１つの選択性分離膜２１２のみを模式的に図示している。
図７は、第２実施形態に係る血液浄化装置２８０の電気的構成を示すブロック図である。
なお、図５及び図７において、図１及び図３と同一の部材については同一の符号を付し、詳細な説明は省略する。
【００６１】
第２実施形態に係る血液浄化システム２は、基本的には第１実施形態に係る血液浄化システム１と同様の構成を有するが、血液浄化器の構成及び透析液回路が設けられていない点で、第１実施形態に係る血液浄化システム１とは異なる。
【００６２】
すなわち、第２実施形態に係る血液浄化システム２は、図５に示すように、血液浄化器２１０と、血液浄化器２１０の第１流入部２１５に接続される動脈側回路２０と、血液浄化器２１０の第１流出部２１６に接続される静脈側回路３０と、血液浄化器２１０の第２流出部２１８に接続され、第２流出部２１８からの廃液が通液する廃液回路５０と、静脈側回路３０に接続され、第１の液体が通液する第１回路２６０と、第１の液体を貯留可能な第１貯留容器２６２と、静脈側回路３０に接続され、第２の液体が通液する第２回路２７０と、第２の液体を貯留可能な第２貯留容器２７２と、血液浄化装置２８０とを備える。
【００６３】
血液浄化器２１０は、図６に示すように、筒状のハウジング部２１１と、ハウジング部２１１の内部に配置された選択性分離膜２１２と、ハウジング部２１１の一方端部に設けられた第１流入部２１５と、ハウジング部２１１の他方端部に設けられた第１流出部２１６と、ハウジング部２１１の側面のうち第１流入部２１５寄りの位置に設けられた第２流入部２１７と、ハウジング部２１１の側面のうち第１流出部２１６寄りの位置に設けられた第２流出部２１８とを有する。血液浄化器２１０の第２流入部２１７は、栓２１９をすることによって外部と通液しないように構成されている。
【００６４】
選択性分離膜２１２は、例えば中空糸膜からなる。図示による説明は省略するが、ハウジング部２１１の内部には、ハウジング部２１１の長手方向に沿って複数の選択性分離膜２１２が延在配置されている。
【００６５】
血液浄化器２１０の内部は、図６（ｂ）に示すように、選択性分離膜２１２によって血液流路２１３と他の流路２１４に区画されている。すなわち、選択性分離膜２１２の内側が血液流路２１３となり、選択性分離膜２１２の外側が他の流路２１４となる。第１流入部２１５及び第１流出部２１６は血液流路２１３に通じており、第２流入部２１７及び第２流出部２１８は他の流路２１４に通じている。血液浄化時において、動脈側回路２０から送られた血液は血液流路２１３内を図６（ｂ）の黒矢印方向に流れる。このとき、血液流路２１３を流れる血液のうち選択性分離膜２１２を通過する血液成分は、他の流路２１４を通じて第２流出部２１８から排出される（図６（ｂ）の白抜き矢印参照。）。
【００６６】
第２実施形態に係る血液浄化システム２においては、第１の液体と第２の液体とは、互いに組成の異なる溶液である。
【００６７】
第２実施形態に係る血液浄化装置２８０は、図７に示すように、基本的には第１実施形態に係る血液浄化装置８０（図３参照。）と同様の構成を有するが、透析液ポンプを備えていない点で、第１実施形態に係る血液浄化装置８０とは異なる。
【００６８】
制御部２９０は、図７に示すように、４つのポンプ８１，８３〜８５の駆動を制御するポンプ駆動制御部Ｆ１と、設定入力部８７に入力された設定値に基づいて、各ポンプの流量を調整するポンプ流量調整部Ｆ２と、第１ポンプ８４又は第２ポンプ８５の流量と血液ポンプ８１の流量とを連動して制御する第１連動制御部Ｆ３と、第１ポンプ８４又は第２ポンプ８５の流量と廃液ポンプ８３の流量とを連動して制御する第２連動制御部Ｆ４と、第１ポンプ８４が駆動しているか否かに応じて、第２ポンプ８５の駆動の可否を決定するポンプ駆動判断部Ｆ５とを少なくとも備える。
【００６９】
このように、第２実施形態に係る血液浄化装置２８０は、第１実施形態に係る血液浄化装置８０とは血液浄化器の構成及び透析液ポンプを備えていない点で異なるが、第１実施形態に係る血液浄化装置８０の場合と同様に、第１ポンプ８４及び第２ポンプ８５が装置に組み込まれており、制御部２９０が上記したポンプ駆動判断部Ｆ５を有しているため、第１の液体とは別の種類のものを第２の液体として準備し、それぞれ第１回路２６０及び第２回路２７０に接続した上で第１ポンプ８４及び第２ポンプ８５にセットしておきさえすれば、治療の途中で使用する溶液を切り替えたいときに、非常にスムーズな切替えを行うことができる。
【００７０】
したがって、第２実施形態に係る血液浄化装置２８０は、治療の途中で使用する溶液を切り替えたい場合であっても、比較的容易に対応可能な血液浄化装置となる。
【００７１】
第２実施形態に係る血液浄化装置２８０は、血液浄化器の構成及び透析液ポンプを備えていない点以外では、第１実施形態に係る血液浄化装置８０と同様の構成を有するため、第１実施形態に係る血液浄化装置８０が有する効果のうち該当する効果をそのまま有する。
【００７２】
第２実施形態に係る血液浄化システム２によれば、上述の優れた血液浄化装置２８０を備えているため、異なる２つの補充液又は置換液を必要に応じて切り替えるなどする施行方法を比較的容易に行うことが可能な、優れた血液浄化システムとなる。
【００７３】
［第３実施形態］
図８は、第３実施形態に係る血液浄化システム３の構成を示す図である。
図９は、第３実施形態に係る血液浄化装置３８０の電気的構成を示すブロック図である。
なお、図８及び図９において、図１及び図３と同一の部材については同一の符号を付し、詳細な説明は省略する。
【００７４】
第３実施形態に係る血液浄化システム３は、基本的には第１実施形態に係る血液浄化システム１と同様の構成を有するが、一部の回路構成が、第１実施形態に係る血液浄化システム１とは異なる。
【００７５】
すなわち、第３実施形態に係る血液浄化システム３は、図８に示すように、血液浄化器１０と、第１流入部１５に接続される動脈側回路２０と、第１流出部１６に接続される静脈側回路３０と、静脈側回路３０に接続される他の回路３４０と、他の回路３４０を流れる第３の液体を貯留可能な第３貯留容器３４２と、第２流入部１７に接続される第１透析液回路３６０と、第１の透析液を貯留可能な第１貯留容器３６２と、第２流出部１８に接続され、第２流出部１８からの廃液が通液する廃液回路５０と、第１透析液回路３６０に接続され、第２の透析液が通液する第２透析液回路３７０と、第２の透析液を貯留可能な第２貯留容器３７２と、血液浄化装置３８０とを備える。
【００７６】
第３実施形態に係る血液浄化システム３においては、第１の液体としての第１の透析液、第２の液体としての第２の透析液及び第３の液体は、それぞれ異なる種類の溶液である。第１の透析液、第２の透析液及び第３の液体としては、治療目的に応じて種々の溶液を用いることができる。
【００７７】
第２透析液回路３７０の端部は、第１透析液回路３６０のうち第２流入部１７との接続部分からローリングチューブ部３６４までの位置に接続されている。
【００７８】
第３実施形態に係る血液浄化装置３８０は、図９に示すように、基本的には第１実施形態に係る血液浄化装置８０（図３参照。）と同様の構成を有するが、一部のポンプの機能及び構成が、第１実施形態に係る血液浄化装置８０とは異なる。
【００７９】
すなわち、第３実施形態に係る血液浄化装置３８０は、５つのポンプとして、動脈側回路２０上の血液を血液浄化器１０に向けて送るための血液ポンプ８１と、他の回路３４０上の第３の液体を静脈側回路３０に向けて送るための他のポンプ３８２と、廃液回路５０上の廃液を送り出すための廃液ポンプ８３と、第１透析液回路３６０上の第１の透析液を血液浄化器１０に向けて送るための第１ポンプ８４と、第２透析液回路３７０上の第２の透析液を第１透析液回路３６０に向けて送るための第２ポンプ８５とを備える。
【００８０】
他のポンプ３８２は、いわゆるローラーポンプである。図示による説明は省略するが、他のポンプ３８２のローラ部が他の回路３４０のローリングチューブ部３４４と接触した状態で回転する（ローリングチューブ部３４４を扱く）ことにより、他の回路３４０内の第３の液体を所定の方向に送液することができる。
【００８１】
制御部３９０は、図９に示すように、５つのポンプ８１，３８２，８３〜８５の駆動を制御するポンプ駆動制御部Ｆ１と、設定入力部８７に入力された設定値に基づいて、各ポンプの流量を調整するポンプ流量調整部Ｆ２と、第１ポンプ８４又は第２ポンプ８５の流量と血液ポンプ８１の流量とを連動して制御する第１連動制御部Ｆ３と、第１ポンプ８４又は第２ポンプ８５の流量と廃液ポンプ８３の流量とを連動して制御する第２連動制御部Ｆ４と、第１ポンプ８４が駆動しているか否かに応じて、第２ポンプ８５の駆動の可否を決定するポンプ駆動判断部Ｆ５とを少なくとも備える。
【００８２】
このように、第３実施形態に係る血液浄化装置３８０は、第１実施形態に係る血液浄化装置８０とは一部のポンプの機能及び構成が異なるが、第１実施形態に係る血液浄化装置８０の場合と同様に、第１ポンプ８４及び第２ポンプ８５が装置に組み込まれており、制御部３９０が上記したポンプ駆動判断部Ｆ５を有しているため、第１の透析液とは別の種類のものを第２の透析液として準備し、それぞれ第１透析液回路３６０及び第２透析液回路３７０に接続した上で第１ポンプ８４及び第２ポンプ８５にセットしておきさえすれば、治療の途中で透析液を切り替えたいときに、非常にスムーズな切替えを行うことができる。
【００８３】
したがって、第３実施形態に係る血液浄化装置３８０は、治療の途中で透析液を切り替えたい場合であっても、比較的容易に対応可能な血液浄化装置となる。
【００８４】
第３実施形態に係る血液浄化装置３８０は、一部のポンプの機能及び構成が異なる点以外では、第１実施形態に係る血液浄化装置８０と同様の構成を有するため、第１実施形態に係る血液浄化装置８０が有する効果のうち該当する効果をそのまま有する。
【００８５】
第３実施形態によれば、上述の優れた血液浄化装置３８０を備えているため、CHDF、CHD等を実施する場合において、透析液の切替えを比較的容易に行うことが可能な優れた血液浄化システムとなる。
【００８６】
以上、本発明の血液浄化装置及び血液浄化システムを上記の実施形態に基づいて説明したが、本発明は上記の実施形態に限定されるものではなく、その要旨を逸脱しない範囲において種々の態様において実施することが可能であり、例えば次のような変形も可能である。
【００８７】
（１）上記第１及び第２実施形態においては、第２回路７０，２７０が静脈側回路３０の途中（エアトラップ３２）に接続されている場合を例示して説明したが、本発明はこれに限定されるものではない。第２回路は、第１回路６０の端部（静脈側回路３０との接続部分）からローリングチューブ部６４（第１ポンプ８４の配設位置）までのいずれかの位置に接続されていてもよいし、動脈側回路２０のいずれかの位置に接続されていてもよい。
【００８８】
（２）上記各実施形態においては、血液浄化器として、中空糸膜からなる選択性分離膜を有する血液浄化器を例示して説明したが、本発明はこれに限定されるものではない。例えば平膜（平板状膜を複数積層したもの）やチューブラー膜など、中空糸膜以外の選択性分離膜で構成された血液浄化器においても本発明は適用可能である。
【００８９】
（３）上記第２実施形態においては、血液浄化器２１０の第２流入部２１７に栓２１９をすることによって、外部と通液しない構成としている場合を例示して説明したが、本発明はこれに限定されるものではない。例えば、第２流入部に該当する口部が初めから設けられていない血液浄化器を用いてもよい。
【００９０】
（４）上記第１実施形態においては、透析液貯留容器４２と第１貯留容器６２が分かれている場合を例示して説明したが、本発明はこれに限定されるものではなく、透析液貯留容器の内容物と第１貯留容器又は第２貯留容器の内容物が同一であれば、両者を一体化させて用いてもよい。第３実施形態においても同様に、第１貯留容器又は第２貯留容器の内容物と第３貯留容器の内容物が同一であれば、両者を一体化させてもよい。
【００９１】
（５）上記実施形態においては、第１貯留容器及び第２貯留容器にそれぞれ貯留された第１の液体及び第２の液体の種類が異なる場合を例示して説明したが、本発明はこれに限定されるものではない。第１の液体及び第２の液体として、例えば、同じ種類であって異なる濃度のものや、濃度も種類も全く同じものを用いてもよい。
【００９２】
（６）上記実施形態においては、貯留容器が空になったこと検知する容器状態検知部（例えば、重量計や超音波センサ等）が血液浄化装置にさらに設けられており、当該容器状態検知部による検知情報に基づいて、空になった貯留容器のポンプの駆動を停止させるように構成されていてもよい。この場合、例えば第１の液体及び第２の液体として濃度も種類も全く同じものを用いたときには、容器状態検知部が第１貯留容器又は第２貯留容器が空になったことを検知すると、当該検知情報に基づいて、空になった貯留容器に対応するポンプ（一方のポンプ）の駆動を停止させる。当該一方のポンプの駆動が停止すると、制御部のポンプ駆動判断機能によって他方のポンプが駆動状態へと移行し、空ではない貯留容器から液体が回路内に送られることとなる。つまり、第１貯留容器が空になったら第２貯留容器に切り替え、第２貯留容器が空になったら第１貯留容器に切り替えるというように、２つの貯留容器を切り替えながら治療を続けることができ、第１貯留容器及び第２貯留容器として大容量のものを使わなくても済むという効果がある。第１の液体及び第２の液体として濃度や種類が異なるものを用いたときであっても同様に、一方の貯留容器が空になったことを容器状態検知部が検知することによって他方の貯留容器に切り替えることができるため、例えば一方の貯留容器に満たされた液体を流し終わった後で他方の貯留容器に満たされた液体を流したいときなどに都合がよい装置となる。
なお、上記した容器状態検知部は、血液浄化装置とは別体として血液浄化システム内に配設されていてもよい。
【００９３】
（７）上記第３実施形態においては、回路内の所定位置の圧力を測定する圧力検出部と、圧力検出部の測定情報に基づいて血液浄化器の膜間圧力差（ＴＭＰ）を算出する膜間圧力差算出部が血液浄化装置に設けられており、算出された膜間圧力差が所定値を超えたときに、第１ポンプ又は第２ポンプの駆動を停止させるように構成されていてもよい。膜間圧力差が所定値を超えるということは、血液浄化器の選択性分離膜がタンパク質等による目詰まりを起こしている可能性があることから、例えば、第１貯留容器又は第２貯留容器のいずれか一方に目詰まり解消効果を奏する液体を予め充填しておけば、膜間圧力差が所定値を超えたときに、そのような目詰まり解消効果を奏する液体を回路内に送ることができ、選択性分離膜の目詰まりを解消することができる。
なお、上記した圧力検出部及び膜間圧力差算出部は、血液浄化装置とは別体として血液浄化システム内に配設されていてもよい。
【００９４】
（８）上記実施形態においては、貯留容器からの送液開始時から現在までの経過時間を測定する経過時間測定部と、送液を開始してから送液停止するまでの時間（送液時間）を設定する送液時間設定部とが血液浄化装置に設けられており、測定された経過時間が送液時間を超えたときに、一方のポンプの駆動を停止させるように構成されていてもよい。または、貯留容器からの送液開始時から現在までの送液量（実量）を測定する実量測定部と、送液を開始してから送液停止するまでの送液量（基準量）を設定する基準量設定部とが血液浄化装置に設けられており、測定された実量が基準量を超えたときに、一方のポンプの駆動を停止させるように構成されていてもよい。この場合、経過時間又は送液量に応じて第１貯留容器又は第２貯留容器からの送液を切り替えることができる。
なお、上記した経過時間測定部及び送液時間設定部又は実量測定部及び基準量設定部は、血液浄化装置とは別体として血液浄化システム内に配設されていてもよい。
【００９５】
（９）上記実施形態においては、各ポンプの回転数を検出する回転数検出部及び検出されたポンプの回転数が所定の数値範囲（例えば、設定入力部に入力された設定値を含む範囲）内にあるか否かを判定する判定部が血液浄化装置に設けられており、検出された各ポンプの回転数が所定の数値範囲内にはないと判定されたときに、第１ポンプ又は第２ポンプの駆動を停止させるように構成されていてもよい。検出された各ポンプの回転数が所定の数値範囲内にはないと判定されるということは、そのポンプが例えば故障している可能性があることから、この場合、仮に一方のポンプが故障したとしても、故障していない他方のポンプに切り替えることが可能となる。
なお、上記した回転数検出部及び判定部は、血液浄化装置とは別体として血液浄化システム内に配設されていてもよい。
【００９６】
（１０）上記実施形態においては、回路内の所定位置の圧力を測定する圧力検出部が血液浄化装置に設けられており、測定された回路内圧力が所定値を超えたときに、第１ポンプ又は第２ポンプの駆動を停止させるように構成されていてもよい。回路内圧力が所定値を超えるということは、チューブがキンクしているなど、回路内に不具合が発生している可能性があることから、この場合、仮に一方のポンプが配設された回路に不具合が発生したとしても、不具合が発生していない回路に配設された他方のポンプに切り替えることが可能となる。
なお、上記した圧力検出部は、血液浄化装置とは別体として血液浄化システム内に配設されていてもよい。
【００９７】
（１１）上記第１実施形態においては、制御部９０が、ポンプ駆動制御部Ｆ１、ポンプ流量調整部Ｆ２、第１及び第２連動制御部Ｆ３，Ｆ４並びにポンプ駆動判断部Ｆ５を備える場合を例示して説明したが、本発明はこれに限定されるものではなく、これらに加えて、例えば、第１ポンプ８４及び第２ポンプ８５の流量を透析液ポンプ８２の流量と連動して制御する第３連動制御部を備えていてもよい。この場合には、透析液ポンプの流量変動に応じて、第１ポンプ及び第２ポンプの流量調整を自動的に行うことが可能となる。
【００９８】
（１２）上記実施形態においては、ポンプ駆動判断部が、第１ポンプ８４が駆動状態である場合には第２ポンプ８５を停止状態にし、第１ポンプ８４が停止状態である場合には第２ポンプ８５を駆動状態にする場合を例示して説明したが、本発明はこれに限定されるものではない。例えば、第１ポンプが駆動状態である場合には第２ポンプを駆動状態にし、第１ポンプが停止状態である場合には第２ポンプを停止状態にするものであり、さらに制御部が、第１ポンプ及び第２ポンプがともに駆動状態である場合には、第１ポンプと第２ポンプの流量を連動して制御してもよい。この場合、第１の液体（第１の透析液）を送液しているときに第２の液体（第２の透析液）も送液することができるため、例えばあるタイミングにおいて２種類の溶液を送りたいという要望があったとしても、本発明の血液浄化装置であれば比較的容易に対応可能である。このときの２種類の溶液の送り方については、２種類の溶液をそれぞれ別のルートから送るものであってもよいし、２種類の溶液を所定の割合で混合させた状態で１つのルートから送るものであってもよい。
【００９９】
（１３）上記実施形態においては、各ポンプとして、いわゆるローラーポンプを用いた場合を例示して説明したが、本発明はこれに限定されるものではなく、例えばシリンジポンプなど、公知である他の送液手段を用いてもよい。
【０１００】
（１４）上記実施形態においては、１つの血液浄化器を備える血液浄化システムを例示して説明したが、本発明はこれに限定されるものではない。例えば二重膜濾過血漿交換法（Double Filtration Plasmapheresis：DFPP）に対応した血液浄化システムのように、選択性分離膜を有する血液浄化器を２つ備える血液浄化システムなど、２つ以上の血液浄化器を備える血液浄化システムについても、本発明は適用可能である。
【符号の説明】
【０１０１】
１，２，３  血液浄化システム
１０，２１０  血液浄化器
１１，２１１  ハウジング部
１２，２１２  選択性分離膜
１３，２１３  血液流路
１４，２１４  他の流路
１５，２１５  第１流入部
１６，２１６  第１流出部
１７，２１７  第２流入部
１８，２１８  第２流出部
２０  動脈側回路
２２，３２  エアトラップ
２４，４４，５４，６４，７４，２６４，２７４，３４４，３６４，３７４  ローリングチューブ部
３０  静脈側回路
４０  透析液回路
４２  透析液貯留容器
５０  廃液回路
６０，２６０  第１回路
６２，２６２，３６２  第１貯留容器
７０，２７０  第２回路
７２，２７２，３７２  第２貯留容器
８０，２８０，３８０  血液浄化装置
８１  血液ポンプ
８２  透析液ポンプ
８３  廃液ポンプ
８４  第１ポンプ
８５  第２ポンプ
８６  電源部
８７  設定入力部
８８  表示部
８９  記憶部
９０，２９０，３９０  制御部
２１９  栓
３４０  他の回路
３４２  第３貯留容器
３６０  第１透析液回路
３７０  第２透析液回路
３８２  他のポンプ
Ｆ１  ポンプ駆動制御部
Ｆ２  ポンプ流量調整部
Ｆ３  第１連動制御部
Ｆ４  第２連動制御部
Ｆ５  ポンプ駆動判断部
【図１】
0006022846.tif 000002
【図２】
0006022846.tif 000003
【図３】
0006022846.tif 000004
【図５】
0006022846.tif 000005
【図６】
0006022846.tif 000006
【図７】
0006022846.tif 000007
【図８】
0006022846.tif 000008
【図９】
0006022846.tif 000009
【図４】
0006022846.tif 000010